(57)【要約】【課題】ユーザの指示に基づいて音声コンテンツに施される音声処理の内容をユーザ同士で共有できるようにすること。【解決手段】第１通信装置１０ａは、アンプ装置から送信されてきた音声処理情報を、サーバ装置３０に対して通信ネットワーク４０を介して送信する。サーバ装置３０は、こうして音声処理情報を第１通信装置１０ａから通信ネットワーク４０を介して取得し、音声処理情報に含まれる各情報を互いに対応付けて記憶する。第２通信装置１０ｂは、サーバ装置３０によって記憶されている設定情報及び音声コンテンツ識別情報のうち、再生対象となる音声コンテンツの音声コンテンツ識別情報と、その音声コンテンツ識別情報に対応付けられた設定情報とを、サーバ装置３０から通信ネットワーク４０を介して取得する。第２通信装置１０ｂは、取得した設定情報及び音声コンテンツ識別情報をアンプ装置に出力する。【選択図】図１
2015032949.tif 000002
【特許請求の範囲】
【請求項１】
音声コンテンツに施される音声処理においてユーザの指示に基づいて設定され、当該音声処理の内容を特定する設定情報と、当該音声コンテンツに割り当てられた音声コンテンツ識別情報とを、当該設定情報及び当該音声コンテンツ識別情報を複数の通信装置から通信回線を介して取得し対応付けて記憶する記憶装置に対し、前記通信回線を介して送信する送信手段と、
前記記憶装置によって記憶されている前記設定情報及び前記音声コンテンツ識別情報のうち、再生対象となる音声コンテンツの前記音声コンテンツ識別情報と、当該音声コンテンツ識別情報に対応付けられた前記設定情報とを、前記記憶装置から前記通信回線を介して取得する取得手段と、
前記音声コンテンツ識別情報により識別される音声コンテンツに対して前記設定情報により特定される音声処理を施す音声処理装置に、前記取得手段により取得された前記設定情報及び前記音声コンテンツ識別情報を出力する出力手段と
を備える通信装置。
【請求項２】
前記送信手段は、前記設定情報及び前記音声コンテンツ識別情報に加え、当該音声コンテンツ識別情報により識別される音声コンテンツに対して当該設定情報により特定される音声処理を施した前記音声処理装置の機種を示す機種情報を前記記憶装置に送信し、
前記取得手段は、前記設定情報及び前記音声コンテンツ識別情報に加え、当該設定情報及び当該音声コンテンツ識別情報に対応付けられた前記機種情報を前記記憶装置から取得し、
前記出力手段は、前記取得手段により取得された機種情報の示す機種が前記出力手段の出力先である前記音声処理装置の機種と異なっている場合には、取得された前記設定情報を当該音声処理装置の機種に応じた設定情報に変換して当該音声処理装置に出力する
請求項１に記載の通信装置。
【請求項３】
前記設定情報は、時間的に連続して再生される前記音声コンテンツの一部に対して施された音声処理の内容を特定するものである
請求項１または２に記載の通信装置。
【請求項４】
前記送信手段は、前記設定情報及び前記音声コンテンツ識別情報に加え、当該設定情報を指示したユーザに割り当てられたユーザ識別情報を前記記憶装置に送信し、
前記取得手段は、ユーザにより指定された前記ユーザ識別情報に対応付けられた前記設定情報及び前記音声コンテンツ識別情報を前記記憶装置から取得する
請求項１から３までのいずれか１項に記載の通信装置。
【請求項５】
通信装置が備えるコンピュータを、
音声コンテンツに施される音声処理においてユーザの指示に基づいて設定され、当該音声処理の内容を特定する設定情報と、当該音声コンテンツに割り当てられた音声コンテンツ識別情報とを、当該設定情報及び当該音声コンテンツ識別情報を複数の通信装置から通信回線を介して取得し対応付けて記憶する記憶装置に対し、前記通信回線を介して送信する送信手段と、
前記記憶装置によって記憶されている前記設定情報及び前記音声コンテンツ識別情報のうち、再生対象となる音声コンテンツの前記音声コンテンツ識別情報と、当該音声コンテンツ識別情報に対応付けられた前記設定情報とを、前記記憶装置から前記通信回線を介して取得する取得手段と、
前記音声コンテンツ識別情報により識別される音声コンテンツに対して前記設定情報により特定される音声処理を施す音声処理装置に、前記取得手段により取得された前記設定情報及び前記音声コンテンツ識別情報を出力する出力手段
として機能させるためのプログラム。
【発明の詳細な説明】
【技術分野】
【０００１】
本発明は、音声コンテンツに音声処理を施すための技術に関する。
【背景技術】
【０００２】
音声コンテンツが再生されるときに、その音声コンテンツに対して、例えば音場処理や周波数特性処理などの音声処理を施すための技術がある。特許文献１には、アンプ装置が、音場や周波数特性を指定する情報をサーバ装置から取得し、これらをＤＳＰ（Digital Signal Processor：デジタルシグナルプロセッサ）に設定して音声コンテンツに音声処理を施す技術が記載されている。
【先行技術文献】
【特許文献】
【０００３】
【特許文献１】特許４５３４８４４号公報
【発明の概要】
【発明が解決しようとする課題】
【０００４】
特許文献１の技術では、音声処理において設定される情報（以下、設定情報という）がサーバ装置において音声コンテンツと一対一に対応付けられた状態で記憶されており、その対応関係が変化しないため、全てのユーザは、固定的に決まった設定情報に基づいて音声処理が施された音声コンテンツしか聴くことができない。そのため、ユーザによっては、そのような音声コンテンツを繰り返し聴いているうちに飽きたり面白みを感じなくなったりして、新たな設定情報に基づく音声処理が施された音声コンテンツを聴きたいという要望が生じると考えられる。
また、ＤＳＰを備えたアンプ装置などを使って様々な音声処理を実行させるためには、専門的な知識が求められることも多く、ユーザによっては多様な音声処理を十分に活用できないことがある。そのようなユーザにおいては、専門的な知識の豊富な他のユーザが設定した音声処理の設定情報を利用したいという要望が生じると考えられる。一方、アンプ装置の機能を十分に活用できるユーザにおいては、自らが指定した音声処理の設定情報を他のユーザに提供して使ってもらいたいという要望があることも予想される。
しかし、特許文献１の技術では、サーバ装置に予め記憶されている設定情報に基づいた音声処理しか行われないから、上記のような要望に応えることができない。
【０００５】
そこで、本発明は、ユーザの指示に基づいて音声コンテンツに施される音声処理の内容をユーザ同士で共有できるようにすることを目的とする。
【課題を解決するための手段】
【０００６】
上記課題を解決するため、本発明は、音声コンテンツに施される音声処理においてユーザの指示に基づいて設定され、当該音声処理の内容を特定する設定情報と、当該音声コンテンツに割り当てられた音声コンテンツ識別情報とを、当該設定情報及び当該音声コンテンツ識別情報を複数の通信装置から通信回線を介して取得し対応付けて記憶する記憶装置に対し、前記通信回線を介して送信する送信手段と、前記記憶装置によって記憶されている前記設定情報及び前記音声コンテンツ識別情報のうち、再生対象となる音声コンテンツの前記音声コンテンツ識別情報と、当該音声コンテンツ識別情報に対応付けられた前記設定情報とを、前記記憶装置から前記通信回線を介して取得する取得手段と、前記音声コンテンツ識別情報により識別される音声コンテンツに対して前記設定情報により特定される音声処理を施す音声処理装置に、前記取得手段により取得された前記設定情報及び前記音声コンテンツ識別情報を出力する出力手段とを備える通信装置を提供する。
【０００７】
前記通信装置において、前記送信手段は、前記設定情報及び前記音声コンテンツ識別情報に加え、当該音声コンテンツ識別情報により識別される音声コンテンツに対して当該設定情報により特定される音声処理を施した前記音声処理装置の機種を示す機種情報を前記記憶装置に送信し、前記取得手段は、前記設定情報及び前記音声コンテンツ識別情報に加え、当該設定情報及び当該音声コンテンツ識別情報に対応付けられた前記機種情報を前記記憶装置から取得し、前記出力手段は、前記取得手段により取得された機種情報の示す機種が前記出力手段の出力先である前記音声処理装置の機種と異なっている場合には、取得された前記設定情報を当該音声処理装置の機種に応じた設定情報に変換して当該音声処理装置に出力するようにしてもよい。
【０００８】
また、前記設定情報は、時間的に連続して再生される前記音声コンテンツの一部に対して施された音声処理の内容を特定するものであってもよい。
また、前記送信手段は、前記設定情報及び前記音声コンテンツ識別情報に加え、当該設定情報を指示したユーザに割り当てられたユーザ識別情報を前記記憶装置に送信し、前記取得手段は、ユーザにより指定された前記ユーザ識別情報に対応付けられた前記設定情報及び前記音声コンテンツ識別情報を前記記憶装置から取得するようにしてもよい。
【０００９】
また、本発明は、通信装置が備えるコンピュータを、音声コンテンツに施される音声処理においてユーザの指示に基づいて設定され、当該音声処理の内容を特定する設定情報と、当該音声コンテンツに割り当てられた音声コンテンツ識別情報とを、当該設定情報及び当該音声コンテンツ識別情報を複数の通信装置から通信回線を介して取得し対応付けて記憶する記憶装置に対し、前記通信回線を介して送信する送信手段と、前記記憶装置によって記憶されている前記設定情報及び前記音声コンテンツ識別情報のうち、再生対象となる音声コンテンツの前記音声コンテンツ識別情報と、当該音声コンテンツ識別情報に対応付けられた前記設定情報とを、前記記憶装置から前記通信回線を介して取得する取得手段と、前記音声コンテンツ識別情報により識別される音声コンテンツに対して前記設定情報により特定される音声処理を施す音声処理装置に、前記取得手段により取得された前記設定情報及び前記音声コンテンツ識別情報を出力する出力手段として機能させるためのプログラムを提供する。
【発明の効果】
【００１０】
本発明によれば、ユーザの指示に基づいて音声コンテンツに施される音声処理の内容をユーザ同士で共有できるようにすることが可能になる。
【図面の簡単な説明】
【００１１】
【図１】本発明の実施形態に係る通信システムの構成を示すブロック図
【図２】オーディオシステムのハードウェア構成を示すブロック図
【図３】通信装置のハードウェア構成を示すブロック図
【図４】音声処理情報の例を示す図
【図５】アンプ装置、第１通信装置及びサーバ装置の動作を示すシーケンスチャート
【図６】サーバ装置、第２通信装置及びアンプ装置の動作を示すシーケンスチャート
【図７】変形例の音声処理情報の一例を示す図
【図８】変形例の利用処理における各装置の動作を示すシーケンスチャート
【図９】変形例の音声処理情報の一例を示す図
【図１０】変形例の利用処理における各装置の動作を示すシーケンスチャート
【図１１】変形例の通信システムの構成を示すブロック図
【発明を実施するための形態】
【００１２】
＜実施形態の構成＞
図１は、本発明の一実施形態に係る通信システム１の全体構成を示すブロック図である。この通信システム１は、第１通信装置１０ａと、オーディオシステム２０ａと、第２通信装置１０ｂと、オーディオシステム２０ｂと、サーバ装置３０と、通信ネットワーク４０とを備えている。第１通信装置１０ａ及びオーディオシステム２０ａが対になって或るユーザにより利用され、第２通信装置１０ｂ及びオーディオシステム２０ｂが対になって他のユーザにより利用される。以下では、第１通信装置１０ａ及び第２通信装置１０ｂを特に区別しない場合は「通信装置１０」といい、オーディオシステム２０ａ及びオーディオシステム２０ｂを特に区別しない場合は「オーディオシステム２０」という。通信システム１は、実際には、３台以上の通信装置１０及びオーディオシステム２０を備えているが、図１では図示を省略している。
【００１３】
通信ネットワーク４０は、いわゆる３ＧやＬＴＥ（Long Term Evolution）或いは無線ＬＡＮ（Local Area Network）と呼ばれる通信規格に従って通信装置１０に通信サービスを提供する通信回線である。サーバ装置３０は、専用線または他の通信回線を介して通信ネットワーク４０に接続されている。サーバ装置３０は、例えばＳＮＳ（Social Networking Service）を提供する装置であり、通信ネットワーク４０を介して通信装置１０から送信されてきたデータ（例えばユーザの投稿を示すデータ）を記憶するコンピュータである。また、サーバ装置３０は、通信装置１０からの要求に応じて、記憶したデータをその通信装置１０に提供する。第１通信装置１０ａ及び第２通信装置１０ｂは、通信ネットワーク４０の基地局やアクセスポイントと呼ばれる無線装置と無線通信を行うコンピュータであり、それぞれ異なるユーザによって利用される。なお、各通信装置とネットワーク４０との通信は、有線通信で行われてもよい。本実施形態では、通信装置１０が通話及びデータ通信を行うことが可能な、いわゆるスマートホンである場合を例に挙げて説明を行う。
【００１４】
オーディオシステム２０は、ＣＤ（Compact Disc）、ＤＶＤ（Digital Versatile Disc）及びＢＤ（Blu-ray（登録商標） Disc）等の記録メディアに記録された音声コンテンツを再生する装置である。音声コンテンツとは、人の声や楽器の音、自然の音など、何らかの音によって表されたコンテンツをいい、具体的には、楽器の演奏音、歌手の歌声、映画における台詞や効果音、ＢＧＭ（Background Music）等を含むコンテンツである。オーディオシステム２０は、Ｂｌｕｅｔｏｏｔｈ（登録商標）やＷｉＦｉ（Wireless Fidelity）などの近距離無線通信により通信装置１０とデータを送受信する。
【００１５】
図２は、オーディオシステム２０のハードウェア構成を示すブロック図である。オーディオシステム２０は、再生装置２１と、アンプ装置２２と、スピーカ装置２３とを備える。再生装置２１は、ＣＤプレイヤーやＢＤプレイヤーなど、記録メディアに記録された音声コンテンツを再生する装置であり、再生した音声コンテンツを示す音声データをアンプ装置２２に供給する。アンプ装置２２は、再生装置２１から供給された音声データに音声処理を施してスピーカ装置２３に供給する音声処理装置である。スピーカ装置２３は、アンプ装置２２から供給された音声データを出力する装置である。
【００１６】
音声コンテンツの再生時には、その音声コンテンツに割り当てられた識別情報（以下「音声コンテンツ識別情報」という）が再生装置２１からアンプ装置２２に供給される。この音声コンテンツ識別情報は、音声処理を施す対象を特定するために用いられる。例えば音声コンテンツがＣＤやＢＤなどに記録されたものである場合は、それらの記録メディアに記録されている管理情報が音声コンテンツ識別情報として用いられる。記録メディアには、音声コンテンツが楽曲であれば、曲名、アルバム名及びアーティスト等を表す管理情報が記録されており、音声コンテンツが映画であれば、タイトル、チャプター及び各チャプターの再生開始時刻（音声コンテンツの先頭から経過した時間）等を表す管理情報が記録されている。例えば曲名、アルバム名及びアーティスト名を音声コンテンツ識別情報として用いれば、音声処理を施す対象となる楽曲が特定される。また、タイトル、チャプター及び各チャプターの再生開始時刻を音声コンテンツ識別情報として用いれば、音声処理を施す対象となる映画のシーンが特定される。
【００１７】
アンプ装置２２の詳細について説明する。アンプ装置２２は、制御部２２１と、記憶部２２２と、通信部２２３と、操作部２２４と、表示部２２５と、ＤＳＰ（Digital Signal Processor）２２６と、アンプ２２７とを備える。制御部２２１は、ＣＰＵ（Central Processing Unit）などの演算装置と、ＲＯＭ（Read Only Memory）及びＲＡＭ（Random Access Memory）などの記憶装置とを備えている。ＲＯＭには、ＣＰＵによって実行されるプログラムのほか、自装置の機種を示す機種情報を記憶している。機種情報とは、例えば、メーカー名、製品名、製品の型式或いはシリアルナンバーなどである。記憶部２２２は、例えばハードディスクやフラッシュメモリなどの記憶手段である。ＣＰＵは、ＲＡＭをワークエリアとして用いて、ＲＯＭや記憶部２２２に記憶されたプログラムを実行することによって、アンプ装置２２の各部の動作を制御する。また、通信部２２３は、通信装置１０と上述したＢｌｕｅｔｏｏｔｈ（登録商標）やＷｉＦｉなどの近距離無線通信を行う。操作部２２４は、つまみやボタンなどの操作子を備え、利用者の操作に応じた操作信号を制御部２２１に供給する。制御部２２１は、この操作信号に応じた処理を行う。表示部２２５は、例えばＦＬディスプレイまたは液晶ディスプレイ等を備え、制御部２２１による制御の下で画像を表示する。
【００１８】
ＤＳＰ２２６は、音声データに音声処理を施す手段であり、本実施形態では音声処理として音場処理を行う例を説明する。音場処理とは、例えば演奏が行われるコンサートホールやライブハウスなどの音場のほか、映画のシーンやコンテンツのジャンル（スポーツやゲームなど）などに適した音場を再現する処理である。ＤＳＰ２２６は、音声コンテンツに施される音声処理においてユーザが操作部２２４を操作して行った指示に基づいて設定された情報（以下「設定情報」という）を用いて音声処理を行う。具体的には、再現する音場の種類に応じて音声処理の内容を定めた音場プログラムの名称や、音場プログラムによる効果の強弱を調節する値（「ＤＳＰ  Ｌｅｖｅｌ」という）、音場の種類に応じた遅延時間（「Ｉｎｉｔ  Ｄｅｌａｙ」という）、音場空間の大きさ（「Ｒｏｏｍ  Ｓｉｚｅ」という）などが設定情報として設定される。これらの設定情報は、音声処理の内容を特定する情報である。ＤＳＰ２２６は、設定情報に応じて音声処理を施した音声信号をアンプ２２７に供給する。アンプ２２７は、ＤＳＰ２２６から供給された音声信号を増幅して、スピーカ装置２３に出力する。
【００１９】
図３は、通信装置１０のハードウェア構成を示す図である。通信装置１０は、制御部１１と、記憶部１２と、ＵＩ（User Interface）部１３と、ネットワーク通信部１４と、近距離通信部１５を備えたコンピュータである。制御部１１は、ＣＰＵなどの演算装置と、ＲＯＭ及びＲＡＭなどの記憶装置とを備えている。記憶部１２は、例えばＥＥＰＲＯＭ（Electronically Erasable and Programmable ROM）やフラッシュメモリなどの記憶手段である。ＣＰＵは、ＲＡＭをワークエリアとして用いて、ＲＯＭや記憶部１２に記憶されたプログラムを実行することによって、通信装置１０の各部の動作を制御する。ＵＩ部１３は、表示面と表示面に重ねられたタッチパネルとを備え、ユーザからの操作を受け付けるとともに、制御部１１による制御の下で画像を表示する。ＵＩ部１３は、受け付けたユーザの操作に応じた操作信号を制御部１１に供給し、制御部１１は、供給された操作信号に応じた処理を行う。ネットワーク通信部１４は、アンテナや通信回路を備えており、通信ネットワーク４０の基地局と無線通信を行う。近距離通信部１５は、アンテナや通信回路を備えており、アンプ装置２２の通信部２２３と上述した近距離無線通信を行う。なお、通信装置１０がスマートホンである場合には、上記の構成のほか、スピーカやマイクロホン、音声処理回路などのスマートホンに固有の構成を通信装置１０が備えているが、ここでは説明を省略する。
以下では、第１通信装置１０ａ及び第２通信装置１０ｂがそれぞれ備える各部について説明する場合には、それらの各部に「ａ」または「ｂ」の符号を付してそれぞれ示すものとする。また、オーディオシステム２０ａ及び２０ｂが備える各装置及び各部についても同様とする。
【００２０】
＜実施形態の概要＞
通信システム１は、第１通信装置１０ａを利用するユーザ（以下「第１のユーザ」という）及び第２通信装置１０ｂを利用するユーザ（以下「第２のユーザ」という）が、前述した設定情報を共有する目的で用いられる。通信システム１の概要は次のとおりである。まず、第１通信装置１０ａを利用する第１のユーザは、例えば再生装置２１ａで音声コンテンツを再生の前に又は再生させながら、アンプ装置２２ａの操作部２２４ａを操作して、音声処理の内容などを指示する。このとき、再生装置２１ａは、再生対象の音声コンテンツの音声コンテンツ識別情報をアンプ装置２２ａに供給している。アンプ装置２２ａの制御部２２１ａは、再生装置２１ａから供給されている音声コンテンツ識別情報と、第１のユーザの指示に基づいて設定された設定情報とを、ＲＯＭに予め記憶されている機種情報（アンプ装置２２ａの機種を示す情報）に対応付けて記憶部２２２ａにそれぞれ記憶させる。この場合の機種情報は、上記音声コンテンツ識別情報により識別される音声コンテンツに対して上記設定情報により特定される音声処理を施した音声処理装置、すなわちアンプ装置２２ａの機種を示す情報である。また、制御部２２１ａは、第１のユーザにより指示された他の内容（例えば設定情報に対するコメントなど）も、これらの情報に対応付けて記憶させる。こうして記憶された情報を、以下では「音声処理情報」という。
【００２１】
図４は、音声処理情報の例を示す図である。図４（ａ）では、「ＡＢＣ」という曲名の音声コンテンツに関する音声処理情報が示されている。この例では、音声コンテンツ識別情報に、曲名以外に、「ＤＥＦ」というアルバム名と「ＧＨＩ」というアーティストの名称とが含まれている。また、設定情報には、「Ｔｈｅ  Ｂｏｔｔｏｍ  Ｌｉｎｅ」という音場プログラムと、「３２ｍｓ（ミリ秒）」というＩｎｉｔ  Ｄｅｌａｙと、「−２ｄＢ」というＤＳＰ  Ｌｅｖｅｌと、「１．０」というＲｏｏｍ  Ｓｉｚｅが含まれている。また、機種情報には、「Ａ社」というメーカーの名称と、「Ａ０００１」という製品名とが含まれている。また、他情報には、「ボーカルが引き立つ」という作成者コメントが含まれている。
【００２２】
図４（ｂ）では、「ＪＫＬ」というタイトルの映画に関する音声処理情報が含まれている。この例では、音声コンテンツ識別情報に、タイトル以外に、「３」というチャプターの値と「１６：０４−１７：４５」というこのチャプター「３」の再生時間（チャプター３の再生開始時刻１６：０４からチャプター４の再生開始時刻１７：４５までの時間）とが含まれている。また、設定情報には、「Ｓｐｅｃｔａｃｌｅ」という音場プログラムと、「１３ｍｓ（ミリ秒）」というＩｎｉｔ  Ｄｅｌａｙと、「＋１ｄＢ」というＤＳＰ  Ｌｅｖｅｌと、「１．２」というＲｏｏｍ  Ｓｉｚｅが含まれている。また、機種情報には、「Ａ社」というメーカーの名称と、「Ａ００１１」という製品名とが含まれている。また、他情報には、「壁を突き抜ける開放感」という作成者コメントが含まれている。
【００２３】
図４（ａ）に示す設定情報に基づく音声処理は、「ＡＢＣ」という曲名の音声コンテンツ全体に施される。一方、図４（ｂ）に基づく音声処理は、「ＪＫＬ」というタイトルの音声コンテンツの一部（この例ではチャプター３。具体的には、再生開始から１６：０４が経過したあと１７：４５が経過するまでの部分。）に対して施されることになる。つまり、図４（ｂ）の示した設定情報は、時間的に連続して再生される音声コンテンツの一部に対して施された音声処理の内容を特定するものである。なお、図４（ｂ）の設定情報には、１つの再生時間だけが含まれていたが、複数の再生時間が含まれていてもよい。このようにすれば、１つの音声コンテンツの中で、それぞれの再生時間における音声コンテンツの内容（例えば楽曲の曲調や映画のシーン）に応じた音声処理を施すことができる。
【００２４】
第１のユーザは、図４に示すような音声処理情報をサーバ装置にアップロードする。具体的には、第１のユーザは、まず第１通信装置１０ａを操作して、第１通信装置１０ａからアンプ装置２２ａに対して音声処理情報を要求させる。制御部２２１ａは、第１通信装置１０ａからの要求に応じて、記憶部２２２ａに記憶されている音声処理情報を、通信部２２３ａを介して第１通信装置１０ａに送信する。なお、アンプ装置２２ａから第１通信装置１０ａへの音声処理情報の送信は、アンプ装置２２ａの操作部２２４ａの操作に基づいて行われてもよい。第１通信装置１０ａは、アンプ装置２２ａから送信されてきた音声処理情報を、第１のユーザの操作に基づいて、制御部１１ａ（送信手段）によってサーバ装置３０に対し、通信ネットワーク４０（通信回線）を介して送信する。サーバ装置３０は、音声処理情報を第１通信装置１０ａから通信ネットワーク４０を介して取得し、音声処理情報に含まれる各情報を互いに対応付けて記憶する。
【００２５】
サーバ装置３０に記憶された音声処理情報は他のユーザによって利用可能な状態になるから、例えば第２通信装置１０ｂを利用する第２のユーザは、所望する音声処理情報をサーバ装置３０からダウンロードすることができる。具体的には、第２のユーザは、再生装置２１ｂで再生しようとする音声コンテンツがある場合に、再生対象となる音声コンテンツの音声コンテンツ識別情報を含む音声処理情報をサーバ装置３０に要求する操作を、第２通信装置１０ｂのＵＩ部１３ｂに対して行う。この操作に応じて、第２通信装置１０ｂの制御部１１ｂは、その音声処理情報をサーバ装置３０に要求する。サーバ装置３０は、この要求に応じて、記憶している音声処理情報から要求されたものを抽出し、抽出した音声処理情報を第２通信装置１０ｂに送信する。第２通信装置１０ｂは、こうして送信されてきた音声処理情報を受信する。すなわち、第２通信装置１０ｂの制御部１１ｂ（取得手段）は、サーバ装置３０によって記憶されている設定情報及び音声コンテンツ識別情報のうち、再生対象となる音声コンテンツの音声コンテンツ識別情報と、その音声コンテンツ識別情報に対応付けられた設定情報と、当該音声コンテンツ識別情報により識別される音声コンテンツに対して当該設定情報により特定される音声処理を施したアンプ装置の機種を示す機種情報を、サーバ装置３０から通信ネットワーク４０を介して取得する。
【００２６】
そして、第２通信装置１０ｂの制御部１１ｂ（出力手段）は、第２のユーザの操作に基づき、取得した設定情報及び音声コンテンツ識別情報をアンプ装置２２ｂに出力する。アンプ装置２２ｂは、取得された音声コンテンツ識別情報により識別される音声コンテンツに対して取得された設定情報により特定される音声処理を施して出力する。
【００２７】
このとき、第２通信装置１０ｂの制御部１１ｂは、取得された機種情報の示す機種が、出力先である音声処理装置（この例ではアンプ装置２２ｂ）の機種と異なっている場合には、取得された設定情報をその音声処理装置（アンプ装置２２ｂ）の機種に応じた設定情報に変換してその音声処理装置（アンプ装置２２ｂ）に出力する。このようにすれば、例えば第１及び第２のユーザの利用する音声処理装置の機種が異なっていても、第１のユーザの指示に基づいて設定された設定情報により内容が特定される音声処理を、第２のユーザの利用するアンプ装置２２ｂ（アンプ装置２２ａとは機種の異なる装置）を用いて音声コンテンツに施すことができる。
【００２８】
＜実施形態の動作＞
次に、実施形態の動作の一例を、図５，６のシーケンスチャートを参照しながら説明する。図５の動作は、第１のユーザが、例えば或る音声コンテンツについて行った指示に基づいて設定された設定情報を気に入って、その設定情報を他のユーザと共有することを要求するための要求操作を行うことを契機に開始される。この要求操作は、例えば、第１通信装置１０ａにアンプ装置２２ａと近距離通信を行わせ、アンプ装置２２ａの記憶部２２２ａに記憶されている設定情報及びそれに対応付けられている音声コンテンツ識別情報を第１通信装置１０ａのＵＩ部１３ａに表示させ、その中から共有させたい設定情報を選択するという操作である。まず、第１通信装置１０ａの制御部１１ａは、第１ユーザによる要求操作を受け付けると（ステップＳ１０１）、要求された内容（すなわち設定情報及び音声コンテンツ識別情報）を示す要求データをアンプ装置２２ａに送信する（ステップＳ１０２）。アンプ装置２２ａの制御部２２１ａは、要求データを受信すると、その要求データが示す設定情報及び音声コンテンツ識別情報と、ＲＯＭに予め記憶されている機種情報とを互いに対応付けた音声処理情報を生成して記憶部２２２に記憶する（ステップＳ１０３）。次に、アンプ装置２２ａの制御部２２１ａは、第１のユーザによる操作に応じた第１通信装置１０ａからの要求、または第１のユーザによる自装置の操作に応じて、音声処理情報を第１通信装置１０ａに送信する（ステップＳ１０４）。第１通信装置１０ａの制御部１１ａは、アンプ装置２２ａから送信されてきた音声処理情報を近距離通信部１５ａによって受信すると、受信した音声処理情報をサーバ装置３０にネットワーク通信部１４ａを介して転送する（ステップＳ１０５）。サーバ装置３０は、第１通信装置１０ａから送信されてきた音声処理情報を記憶する（ステップＳ１０６）。このように、図５の動作は、記憶装置であるサーバ装置３０に音声処理情報が記憶されるまでの記憶処理における各装置の動作である。
【００２９】
次に、図６の動作は、例えば、アンプ装置２２ｂにおいて再生対象となる音声コンテンツの音声コンテンツ識別情報を含む音声処理情報を要求する要求操作が第２のユーザによって行われることを契機に開始される。第２通信装置１０ｂの制御部１１ｂは、第２のユーザによる要求操作を受け付けると（ステップＳ２０１）、その音声処理情報を要求する要求データをサーバ装置３０に送信する（ステップＳ２０２）。サーバ装置３０は、記憶している複数の音声処理情報から、ステップＳ２０２で受信した要求データが示す音声処理情報を抽出して（ステップＳ２０３）、第２通信装置１０ｂに送信する（ステップＳ２０４）。第２通信装置１０ｂの制御部１１ｂは、ステップＳ２０４で音声処理情報を取得すると、取得した音声処理情報をＵＩ部１３ｂに表示させる（ステップＳ２０５）。この例では、１つの音声コンテンツに対して複数の音声処理に関する音声処理情報がサーバ装置３０に記憶されていたとする。つまり、第２通信装置１０ｂの制御部１１ｂが複数の音声処理情報を取得したものとする。
【００３０】
第２のユーザは、それらの音声処理情報の内容（音場プログラムや、Ｉｎｉｔ  Ｄｅｌａｙなどの設定情報や機種情報など）を見て、その中から１つを選択する選択操作を行う。第２通信装置１０ｂの制御部１１ｂは、その選択操作を受け付け（ステップＳ２０６）、選択された音声処理情報に含まれる機種情報が示す機種を特定する（ステップＳ２０７）。こうして特定された機種は、図５において設定情報を設定した音声処理装置（アンプ装置２２）の機種である。この例では、ステップＳ２０７において特定された機種と、取得した設定情報を利用する音声処理装置の機種とが異なっているものとする。第２通信装置１０ｂの制御部１１ｂは、これらの機種が異なっているため、取得した設定情報を変換する（ステップＳ２０８）。設定情報を設定した音声処理装置の機種情報と、取得した設定情報を利用する音声処理装置の機種情報と、変換の方法とを対応付けた変換テーブルが、記憶部１２ｂに記憶されているプログラムに記述されている。この変換の方法は、機種の違いに関わらず、音声処理の内容を共通にするための方法であり、予め実験的に或いはシミュレーションにより決められている。制御部１１ｂは、取得された機種情報を変換テーブルにおける前者の機種情報とし、出力先の音声処理装置の機種情報を変換テーブルにおける後者の機種情報として、それらの機種に対応付けられた変換の方法を特定する。そして、制御部１１ｂは、特定した変換方法で音声処理情報を変換する。
【００３１】
第２通信装置１０ｂの制御部１１ｂは、ステップＳ２０８で変換を行ったらすぐに、または第２のユーザの操作に応じて、変換した設定情報を含む音声処理情報をアンプ装置２２ｂに出力する（ステップＳ２０９）。アンプ装置２２ｂは、再生装置２１ｂから供給される再生中の音声コンテンツを示す音声データに対して、第２通信装置１０ｂから出力されてきた設定情報により内容が特定される音声処理を実施して（ステップＳ２１０）、音声処理を実施した音声データをスピーカ装置２３ｂに出力する（ステップＳ２１１）。このように、図６に示す動作は、第１のユーザの指定に基づく設定情報を第２のユーザが利用する利用処理における各装置の動作である。
【００３２】
以上のとおり記憶処理及び利用処理が行われることで、第１のユーザの指示に基づいて設定された設定情報により特定される内容の音声処理が、第２のユーザが利用する音声処理装置により実施されることになる。このような本実施形態によれば、ユーザの指示に基づいて音声コンテンツに施される音声処理の内容をユーザ同士で共有できるようにすることができる。また、そのような共有がされることで、第１のユーザにより新たな設定情報が設定される度に、第２のユーザは新たな設定情報を用いて音声処理が施された音声コンテンツを聴くことができるから、固定的に決まった設定情報に基づいて音声処理が施された音声コンテンツを繰り返し聴く場合に比べて飽きにくいし、面白みを感じやすい。また、多様な音声処理に関する専門的な知識が無いユーザにとっては、そのような知識を持つユーザにより設定された設定情報を利用して様々な音声処理が施された音声コンテンツを聴くことができるという利点がある。また、音声処理に関する専門的な知識があるユーザにとっては、自分の知識を生かして行った音声処理の設定情報を他のユーザに使ってもらったり、それらのユーザから評価を受けたりすることで、満足感を得ることができるという利点がある。
【００３３】
（変形例）
上述の実施形態を以下のように変形してもよい。なお、上述した実施形態及び以下の変形例の各々を組み合わせてもよい。
（変形例１）
ユーザが、設定情報を設定したユーザ（他のユーザでもよいし、自分自身でもよい）を指定できるようにしてもよい。その場合、通信装置１０の制御部１１（送信手段）が、設定情報及び音声コンテンツ識別情報に加え、その設定情報を指示したユーザに割り当てられたユーザ識別情報をサーバ装置３０（記憶装置）に送信する。また、通信装置１０の制御部１１（取得手段）が、ユーザにより指定されたユーザ識別情報に対応付けられた設定情報及び音声コンテンツ識別情報をサーバ装置３０から取得する。以下では、第２のユーザが第１のユーザを指定する場合について、図７及び図８を参照して説明する。
【００３４】
図７は、本変形例における音声処理情報の一例を示す図である。この例では、図４（ａ）に示した音声処理装置に、「ＩＤ００１」というユーザ識別情報が加えられている。ユーザ識別情報は、第１通信装置１０ａの記憶部１２ａに予め記憶されている。制御部１１ａは、図５に示すステップＳ１０３において音声処理情報を生成する際に、記憶部１２ａに記憶されているユーザ識別情報も読み出して、読み出したユーザ識別情報を含む音声処理情報を生成する。サーバ装置３０は、ステップＳ１０６においてユーザ識別情報を含む音声処理情報を記憶する。このような音声処理情報が用いられる利用処理について、図８を参照して説明する。
【００３５】
図８は、本変形例の利用処理における各装置の動作を示すシーケンスチャートである。図８の動作は、第２のユーザにより、ユーザ識別情報の指定を含む要求操作が行われることを契機に開始される。ユーザ識別情報の指定は、具体的には、ユーザ識別情報の一覧からの選択またはユーザ識別情報の入力により行われる。第２通信装置１０ｂの制御部１１ｂは、まず、ユーザ識別情報の指定を含む要求操作を受け付ける（ステップＳ３０１）。次に、制御部１１ｂは、音声処理情報を要求する要求データをサーバ装置３０に送信する（ステップＳ３０２）。サーバ装置３０は、記憶している複数の音声処理情報から、ステップＳ３０２で受信した要求データが示す音声処理情報、すなわち、指定されたユーザ識別情報を含む音声処理情報を抽出する（ステップＳ３０３）。以降、図６に示すステップＳ２０４からＳ２１１までの動作が行われて、指定されたユーザ識別情報が割り当てられた第１のユーザの指示に基づいて設定された設定情報が第２のユーザにより利用される。本変形例によれば、例えば有名なＤＪ（Disc Jockey）や音楽に詳しい知人が行っている音声処理を再現したい場合に、それらの人達のユーザ識別情報を指定することでそのような音声処理を再現することができる。
【００３６】
なお、サーバ装置３０は、ユーザ識別情報毎に指定される回数（「指定回数」という）を計数して音声処理情報に加えるようにしてもよい。その場合、第２通信装置１０ｂの制御部１１ｂは、図６に示すステップＳ２０５において複数の音声処理情報を表示させるときに、例えば各々に含まれている指定回数が大きいものから順番に表示させる。これにより、第２のユーザは、他のユーザによってどの設定情報がよく指定されているかということを知ることができる。
【００３７】
（変形例２）
設定情報を利用した第２のユーザがその設定情報について評価を行い、その評価の内容がユーザ同士で共有されてもよい。例えば、第２通信装置１０ｂの制御部１１ｂ（送信手段）が、取得した設定情報について、評価者たる第２のユーザが評価した内容を示す評価情報を、その設定情報に対応付けてサーバ装置３０に送信する。この評価情報は、例えば、５点満点で設定情報を評価した場合の得点と、評価した第２のユーザ（評価者）のユーザ識別情報とを含む。サーバ装置３０は、設定情報等を受信すると、その設定情報を含む音声処理情報を読み出し、読み出した音声処理情報に含まれる設定情報に対応付けて、受信した評価情報を記憶する。
【００３８】
図９は、本変形例における音声処理情報の一例を示す図である。この例では、図４（ａ）に示した音声処理装置に、「ＩＤ００９」という評価者のユーザ識別情報及びこの評価者が評価した「４．２」という得点と、「ＩＤ０１３」という評価者のユーザ識別情報及びこの評価者が評価した「４．５」という得点とが加えられている。このような音声処理情報が用いられる利用処理について、図１０を参照して説明する。
【００３９】
図１０は、本変形例の利用処理における各装置の動作を示すシーケンスチャートである。図１０では、図６に示すステップＳ２０１からＳ２１１までの動作がまず行われる。第２のユーザは、ステップＳ２１１においてアンプ装置２２ｂが出力した音声データの音声を聴いて、その音声データに施された音声処理についての設定情報を評価する評価操作を、第２通信装置１０ｂのＵＩ部１３ｂに対して行う。評価操作とは、例えば、設定情報に対する評価を選択または入力する操作である。第２通信装置１０ｂの制御部１１ｂは、評価操作を受け付けると（ステップＳ４０１）、その評価結果を含む評価情報を、評価された設定情報に対応付けてサーバ装置３０に送信する（ステップＳ４０２）。このとき、制御部１１ｂは、評価情報に第２のユーザのユーザ識別情報も含めて送信する。第２のユーザのユーザ識別情報は、例えば第２通信装置１０ｂの記憶部１２ｂに記憶されている。サーバ装置３０は、記憶している複数の音声処理情報から、ステップＳ４０２で受信した設定情報を含む音声処理情報を読み出し、読み出した音声処理情報に含まれる設定情報に対応付けて、受信した評価情報を記憶する（ステップＳ４０３）。
【００４０】
本変形例では、第２通信装置１０ｂの制御部１１ｂは、ステップＳ２０５において複数の音声処理情報を表示させるときに、例えば各々に含まれている評価情報が示す得点が大きいものから順番に表示させる。これにより、第２のユーザは、どの設定情報が他のユーザから高く評価されているかということを知ることができる。また、本変形例では、以上のとおり、第２のユーザが設定情報を評価することができ、且つ、その評価の内容をユーザ同士で共有することができる。
なお、変形例１及び２を組み合わせた場合、サーバ装置３０は、図７に示す作成者のユーザ識別情報と図９に示す評価情報の両方を含む音声処理情報を記憶する。そして、第２通信装置１０ｂの制御部１１ｂは、図１０に示すステップＳ２０５において音声処理情報を表示するときに、共通のユーザ識別情報を含む音声処理情報に含まれる評価情報が示す得点の合計の値または平均の値を比較して、その値が大きいユーザ識別情報を含む音声処理情報から順番に表示させる。これにより、他のユーザによって高く評価されている作成者が誰であるのかを第２のユーザが知ることができる。
【００４１】
（変形例３）
実施形態では、音声コンテンツ識別情報が、再生装置２１ａからアンプ装置２２ａを経由して第１通信装置１０ａに供給されたが、これに限らず、再生装置２１ａから第１通信装置１０ａに直接供給されてもよい。例えば再生装置２１ａが近距離無線通信を行う手段を備えていれば、第１通信装置１０ａと近距離無線通信を行って音声コンテンツ識別情報を供給すればよい。
【００４２】
（変形例４）
実施形態では、設定情報がアンプ装置２２ａに対する操作によって設定されていたが、これに限らず、例えば第１通信装置１０ａに対する操作によって設定されてもよい。この場合、例えば第１通信装置１０ａがアンプ装置２２ａの設定を行うためのプログラムを記憶しておき、そのプログラムを実行して表示される画面において第１のユーザが操作を行うことで、設定情報が生成される。そして、第１通信装置１０ａは、生成した設定情報をアンプ装置２２ａに送信し、アンプ装置２２ａが受信した設定情報により特定される内容の音声処理を音声データに施せばよい。
【００４３】
（変形例５）
実施形態では、ＣＤ及びＢＤ等に記録された音声コンテンツに音声処理が施される例について説明したが、これに限定されない。例えば、通信ネットワーク４０を介して配信されているインターネットラジオや動画などの音声コンテンツに音声処理が施されてもよい。
図１１は、本変形例の通信システムの全体構成を示すブロック図である。図１１では、ネットワーク４０に接続されているオーディオシステム２０ａ及び２０ｂを備える通信システム１ａが示されている。オーディオシステム２０は、図示せぬ配信サーバから配信される音声コンテンツをネットワーク４０を介して受け取り、受け取った音声コンテンツに音声処理を施す。なお、図１１の例では、オーディオシステム２０はネットワーク４０と有線通信を行っているが、無線通信を行ってもよい。
また、通信装置１０に記憶されている音声コンテンツに音声処理が施されてもよい。他にも、アンプ装置２２がＵＳＢ（Universal Serial Bus）ポートを有していれば、ＵＳＢメモリーデバイスなどに記憶されている音声コンテンツも利用可能である。
【００４４】
（変形例６）
音声処理は、実施形態で述べた音場処理に限らない。例えば、周波数特性を変化させる周波数特性処理でもよい。その他にも、音声コンテンツに施される処理であり、ユーザの指示に基づいて設定された設定情報により内容が特定される処理であれば、どのような処理が音声処理として施されてもよい。
【００４５】
（変形例７）
本発明は、コンピュータとして機能させるためのプログラムといった形態でも実施が可能である。かかるプログラムは、光ディスク等の記録媒体に記録した形態で提供されたり、インターネット等のネットワークを介して、コンピュータにダウンロードさせ、これをインストールして利用可能にするなどの形態で提供されたりすることが可能である。
【符号の説明】
【００４６】
１０ａ  第１通信装置、１０ｂ  第２通信装置、２０  オーディオシステム、３０  サーバ装置、４０  通信ネットワーク、２１  再生装置、２２  アンプ装置、２３  スピーカ装置、１１、２２１  制御部、１２、２２２  記憶部、１３  ＵＩ部、１４  ネットワーク通信部、１５  近距離通信部、２２３  通信部、２２４  操作部、２２５  表示部、２２６  ＤＳＰ、２２７  アンプ。
【図１】
2015032949.tif 000003
【図２】
2015032949.tif 000004
【図３】
2015032949.tif 000005
【図４】
2015032949.tif 000006
【図５】
2015032949.tif 000007
【図６】
2015032949.tif 000008
【図７】
2015032949.tif 000009
【図８】
2015032949.tif 000010
【図９】
2015032949.tif 000011
【図１０】
2015032949.tif 000012
【図１１】
2015032949.tif 000013